(57)【要約】【課題】記録メディアを挿抜自在に保持する電子機器にあって、安価な構成で確実に記録メディアの抜け出しを防止する。【解決手段】デジタルカメラのカメラ本体４の底面４ａには、記録メディア３０を挿抜自在に保持するメディアスロット３２が電池収納室２２と並べて設けられている。メディアスロット３２は、カメラ本体４に回動自在に取り付けられた電池蓋２４によって覆われる。電池蓋２４の内面には、一対のメディア押さえ部５２が形成された板金部材４４が設けられている。各メディア押さえ部５２は、板バネ状に形成されている。そして、各メディア押さえ部５２は、電池蓋２４が閉じ位置に移動した際に、記録メディア３０の後端３０ａと接触して弾性変形し、記録メディア３０を挿入方向に付勢してメディアスロット３２からの抜け出しを防止する。【選択図】図２
2008294636.tif 000002
【特許請求の範囲】
【請求項１】
記録メディアを挿抜自在に保持するメディアスロットが設けられた本体部と、
前記メディアスロットを覆うカバーと、
前記カバーの内面に設けられ、前記カバーが前記メディアスロットを覆う閉じ位置にある際に、前記メディアスロットに挿入された前記記録メディアの後端と接触して弾性変形し、前記記録メディアを挿入方向に付勢する板バネ状のメディア押さえ部が形成された板金部材とを備えたことを特徴とする電子機器。
【請求項２】
前記本体部には、電池を収納する電池収納室が前記メディアスロットと並べて設けられており、
前記カバーは、前記閉じ位置にある際に、前記メディアスロットとともに前記電池収納室も覆うことを特徴とする請求項１記載の電子機器。
【請求項３】
前記板金部材には、前記カバーが前記閉じ位置にある際に、前記電池収納室に収納された前記電池の電極と接触して前記電池との導通を得る電池接点が形成されていることを特徴とする請求項２記載の電子機器。
【請求項４】
前記板金部材には、前記カバーが前記閉じ位置にある際に、前記電池収納室に収納された前記電池の後端と接触して弾性変形し、前記電池を挿入方向に付勢する板バネ状の電池押さえ部が形成されていることを特徴とする請求項２又は３記載の電子機器。
【請求項５】
前記板金部材には、前記メディアスロットを露呈させる開き位置と前記閉じ位置との間で回動自在に前記カバーを前記本体部に取り付けるためのヒンジ部が形成されていることを特徴とする請求項１から４のいずれか１項に記載の電子機器。
【請求項６】
前記カバーは、前記メディアスロットを覆うとともに前記本体部との係合によって保持される前記閉じ位置と、前記閉じ位置から所定の方向にスライドして前記係合を解除する係合解除位置との間で移動自在に前記本体部に取り付けられることを特徴とする請求項１から５のいずれか１項に記載の電子機器。
【請求項７】
前記板金部材には、前記カバーが前記閉じ位置にある際に、前記本体部に設けられた係合部材と係合して前記カバーの前記係合解除位置への移動を阻止する被係合部が形成されていることを特徴とする請求項６記載の電子機器。
【請求項８】
前記メディア押さえ部は、前記カバーが前記閉じ位置にある際に、前記記録メディアを挿入方向に付勢するとともに、前記本体部に設けられた係合部材と係合して前記カバーの前記係合解除位置への移動を阻止することを特徴とする請求項６記載の電子機器。
【請求項９】
前記記録メディアは、カード型に形成され、
前記カバーは、前記記録メディアの厚み方向にスライドすることによって、前記閉じ位置と前記係合解除位置との間で移動し、
前記メディア押さえ部は、前記カバーが前記閉じ位置にある際に、前記厚み方向と略平行になるように形成されていることを特徴とする請求項６から８のいずれか１項に記載の電子機器。
【発明の詳細な説明】
【技術分野】
【０００１】
本発明は、記録メディアを挿抜自在に保持するメディアスロットが設けられた電子機器に関する。
【背景技術】
【０００２】
被写体像をＣＣＤイメージセンサなどの固体撮像素子で撮像してデジタルの画像データを取得するデジタルカメラが普及している。こうしたデジタルカメラの多くは、画像データの管理や持ち運びなどを容易にするため、取得した画像データを挿抜自在な記録メディアに記録するようにしている。
【０００３】
ところが、記録メディアを用いるデジタルカメラの場合、ぶつけたり落としたりしてカメラ本体に過度の衝撃が加わった際などに、記録メディアがスロットから抜け出てしまうことがある。このように、不意に記録メディアが抜け出てしまうと、新たに取得した画像データの記録が正常に行えなくなるのはもちろんのこと、既に取得した画像データを消失させてしまう要因にもなる。こうした事態を防ぐため、記録メディアの抜け出しを防止する方法が、従来より種々提案されている。
【０００４】
例えば、特許文献１は、スロット内に侵入するスライド式のロック機構を設け、記録メディアが挿入された際に、記録メディアに形成された切欠とロック機構とを係合させることによって、記録メディアの抜け出しを防止する方法を提案している。また、特許文献２は、記録メディアの挿入口にスライド式のロック機構を設け、挿入された記録メディアの後端部をロック機構で押さえることによって、記録メディアの抜け出しを防止する方法を提案している。
【特許文献１】特開２００３−１９６６０５号公報
【特許文献２】特開２００４−０８７４８０号公報
【発明の開示】
【発明が解決しようとする課題】
【０００５】
しかしながら、スライド式のロック機構は、その操作部材などが外部に露呈しているため、鞄などに収納して持ち運んでいる際に、不意にロックが外れてしまうという問題がある。また、スライド式のロック機構は、構成が複雑であるため、部品点数の増加や部品加工の困難化などにともなうコストアップも懸念される。さらに、記録メディアに形成された切欠に係合させる方法では、切欠が形成された記録メディアしか用いることができないため、デジタルカメラの汎用性を低下させる要因になる。
【０００６】
また、記録メディアの抜け出しを防止する方法として、ロック機構を係合させる方法の他に、記録メディアのスロットをカバーで覆う方法も知られている。この方法では、カバーの内面を記録メディアの後端に当接させることによって抜け出しを防止しているが、記録メディアの小型化が進められている近年では、カバーの内面と記録メディアの後端とを適切に当接させるのが難しくなってきている。スロットやカバーなどの部品精度が低いと、カバー内で記録メディアが動き、スロットと記録メディアとが接触不良を起こしてしまうことが懸念される。反対に、スロットやカバーなどの部品精度を高くすると、記録メディアの抜け出しは防止できるものの、コストアップが懸念される。
【０００７】
本発明は、上記課題を鑑みてなされたものであって、安価な構成で確実に記録メディアの抜け出しを防止することを目的とする。
【課題を解決するための手段】
【０００８】
上記課題を達成するため、本発明の電子機器は、記録メディアを挿抜自在に保持するメディアスロットが設けられた本体部と、前記メディアスロットを覆うカバーと、前記カバーの内面に設けられ、前記カバーが前記メディアスロットを覆う閉じ位置にある際に、前記メディアスロットに挿入された前記記録メディアの後端と接触して弾性変形し、前記記録メディアを挿入方向に付勢する板バネ状のメディア押さえ部が形成された板金部材とを備えたことを特徴とする。
【０００９】
なお、前記本体部に電池を収納する電池収納室を前記メディアスロットと並べて設け、前記カバーは、前記閉じ位置にある際に、前記メディアスロットとともに前記電池収納室も覆うことが好ましい。
【００１０】
また、前記板金部材には、前記カバーが前記閉じ位置にある際に、前記電池収納室に収納された前記電池の電極と接触して前記電池との導通を得る電池接点が形成されていることが好ましい。
【００１１】
さらに、前記板金部材には、前記カバーが前記閉じ位置にある際に、前記電池収納室に収納された前記電池の後端と接触して弾性変形し、前記電池を挿入方向に付勢する板バネ状の電池押さえ部が形成されていることが好ましい。
【００１２】
なお、前記板金部材には、前記メディアスロットを露呈させる開き位置と前記閉じ位置との間で回動自在に前記カバーを前記本体部に取り付けるためのヒンジ部が形成されていることが好ましい。
【００１３】
また、前記カバーは、前記メディアスロットを覆うとともに前記本体部との係合によって保持される前記閉じ位置と、前記閉じ位置から所定の方向にスライドして前記係合を解除する係合解除位置との間で移動自在に前記本体部に取り付けられることが好ましい。
【００１４】
さらに、前記板金部材には、前記カバーが前記閉じ位置にある際に、前記本体部に設けられた係合部材と係合して前記カバーの前記係合解除位置への移動を阻止する被係合部が形成されていることが好ましい。
【００１５】
なお、前記メディア押さえ部は、前記カバーが前記閉じ位置にある際に、前記記録メディアを挿入方向に付勢するとともに、前記本体部に設けられた係合部材と係合して前記カバーの前記係合解除位置への移動を阻止することが好ましい。
【００１６】
また、前記記録メディアは、カード型に形成され、前記カバーは、前記記録メディアの厚み方向にスライドすることによって、前記閉じ位置と前記係合解除位置との間で移動し、前記メディア押さえ部は、前記カバーが前記閉じ位置にある際に、前記厚み方向と略平行になるように形成されていることが好ましい。
【発明の効果】
【００１７】
本発明の電子機器では、板バネ状のメディア押さえ部が形成された板金部材をカバーの内面に設け、メディアスロットに挿入された記録メディアをメディア押さえ部で押さえ付けるようにした。これにより、本体部に過大な衝撃が加わった際などにも、メディアスロットから記録メディアが抜け出ることを防止することができる。また、カバーの内面に板金部材を設けたので、外力の影響を受ける心配がなく、記録メディアの抜け出しを確実に防止することができる。また、複雑な構造を必要としないので、記録メディアの抜け出しの防止を確実かつ安価に実現することができる。
【発明を実施するための最良の形態】
【００１８】
図１に示すように、デジタルカメラ（電子機器）２は、略直方体状のカメラ本体（本体部）４を有している。カメラ本体４の前面には、撮影レンズ１０を保持するレンズ鏡胴１１と、撮影実行の際に被写体を照らすストロボ発光部１２とが設けられている。また、カメラ本体４の上面には、デジタルカメラ２に撮影実行を指示するレリーズボタン１４と、デジタルカメラ２の電源のＯＮ／ＯＦＦを切り替える電源ボタン１５とが設けられている。
【００１９】
図２に示すように、カメラ本体４の底面４ａには、２本の電池２０、２１を収納する電池収納室２２と、この電池収納室２２を覆う閉じ位置と電池収納室２２を露呈させる開き位置との間で回動自在にカメラ本体４に取り付けられた電池蓋（カバー）２４とが設けられている。電池蓋２４は、閉じ位置に移動した際に、電池収納室２２に収納された各電池２０、２１を押さえ、各電池２０、２１が電池収納室２２から脱落することを防止する。
【００２０】
各電池２０、２１には、それぞれ正極２０ａ、２１ａと負極２０ｂ、２１ｂとが形成されている。電池収納室２２と電池蓋２４とは、各電池２０、２１を収納した際に、これらの各電極と接触して、各電池２０、２１との導通を得る。これにより、各電池２０、２１の電力がデジタルカメラ２の各部に供給される。なお、各電池２０、２１には、例えば、単３形や単４形のアルカリ乾電池やニッケル水素電池などが用いられる。また、図２に示すように、各電池２０、２１は、正負の向きを逆にした状態で電池収納室２２に収納される。
【００２１】
電池収納室２２の周囲には、底面４ａよりも凹んだ凹部２６が形成されている。電池蓋２４は、閉じ位置に移動した際に、凹部２６内に入り込む。これにより、閉じ位置に移動した電池蓋２４の外面と底面４ａとが略面一になる。
【００２２】
凹部２６内には、カード型の記録メディア３０を挿抜自在に保持するメディアスロット３２が電池収納室２２と並べて設けられている。電池蓋２４は、閉じ位置に移動した際に、電池収納室２２を覆って各電池２０、２１の脱落を防止するとともに、メディアスロット３２を覆って、メディアスロット３２からの記録メディア３０の抜け出しを防止する。また、閉じ位置に移動した電池蓋２４は、電池収納室２２やメディアスロット３２に塵埃などが侵入することを防止する。
【００２３】
記録メディア３０には、複数の接点３４が形成されている。メディアスロット３２の内部には、各接点３４に対応した複数の接点（図示は省略）が形成されている。メディアスロット３２は、挿入された記録メディア３０を機械的に保持するとともに、各接点同士を接触させて記録メディア３０との電気的な接続を得る。なお、記録メディア３０には、例えば、コンパクトフラッシュ（登録商標）、ＳＤカード、スマートメディアなどが用いられる。もちろん、メディアスロット３２は、こうした記録メディア３０の規格に準じて構成される。
【００２４】
電池蓋２４は、縦長の板状に形成され、貫通孔を有する一対のヒンジ部４０が一端に設けられている。各ヒンジ部４０の貫通孔には、シャフト４２が挿通されている。シャフト４２は、底面４ａの短手方向と略平行に配置され、その両端部をカメラ本体４に支持されている。これにより、シャフト４２を回転軸として、電池蓋２４が回動自在にカメラ本体４に取り付けられる。
【００２５】
電池蓋２４の内面には、例えば、アルミニウム、銅、ステンレスなどといった金属材料で成形された板金部材４４が設けられている。板金部材４４には、電池２０の正極２０ａに対応した電池接点５０と、電池２１の負極２１ｂに対応した電池接点５１とが形成されている。板金部材４４は、電池蓋２４が閉じ位置に移動した際に、各電池接点５０、５１を正極２０ａ、負極２１ｂに接触させ、正負の向きを逆にして収納される各電池２０、２１を直列に接続する。また、電池収納室２２の内底面には、電池２０の負極２０ｂ、及び電池２１の正極２１ａのそれぞれに対応する電池接点（図示は省略）が設けられている。これにより、電池収納室２２と電池蓋２４とは、各電池２０、２１から電力を取り出す。
【００２６】
また、各電池接点５０、５１は、正極２０ａ、負極２１ｂと接触した際に、わずかに弾性変形するように、高さなどが合わせられている。各電池接点５０、５１は、このように弾性変形することによって、各電池２０、２１の各電極との接触状態を安定させる。なお、板金部材４４は、金属材料に限ることなく、導電性と弾性とを有するものであれば、例えば、カーボンファイバーなどの樹脂材料などであってもよい。
【００２７】
板金部材４４には、各電池接点５０、５１の他に、一対のメディア押さえ部５２と被係合部５４とが形成されている。各メディア押さえ部５２と被係合部５４とは、板バネ状に形成されている。各メディア押さえ部５２は、図３（ａ）に示すように、電池蓋２４が閉じ位置に移動した際に、記録メディア３０の後端３０ａと接触して弾性変形し、記録メディア３０を挿入方向に付勢する。各メディア押さえ部５２は、弾性変形して記録メディア３０を押さえ付けることにより、メディアスロット３２から記録メディア３０が抜け出ることを防止する。また、各メディア押さえ部５２は、後端３０ａの両端付近を押さえるように成形されている。このように、後端３０ａの両端付近をバランスよく押さえることで、記録メディア３０をより安定して押さえることができる。なお、本実施形態では、２つのメディア押さえ部５２で記録メディア３０を押さえるようにしているが、これに限ることなく、板金部材４４に形成されるメディア押さえ部５２は、１つでもよいし、３つ以上でもよい。
【００２８】
被係合部５４は、図３（ａ）に示すように、電池蓋２４が閉じ位置に移動した際に、凹部２６内に設けられた係合部材３６と係合する。この際、被係合部５４は、その弾性によって係合部材３６を押さえ付けるようにして係合する。また、電池蓋２４には、３つの係合爪６０、６１、６２が形成されている。カメラ本体４には、係合爪６０に対応した係合溝６４と、係合爪６１に対応した係合溝６５と、係合爪６２に対応した係合溝６６とが形成されている。各係合爪６０、６１、６２と各係合溝６４、６５、６６とは、電池蓋２４が閉じ位置に移動した際に互いに係合する。閉じ位置に移動した電池蓋２４は、これらの各部の係合によって閉じ位置に保持される。
【００２９】
図３に示すように、カメラ本体４は、電池蓋２４を挟んで形成された一対の長穴６８によってシャフト４２の両端部を支持する。各長穴６８は、シャフト４２と略直交し、かつ底面４ａと略平行な方向に長く形成されている。これにより、カメラ本体４は、メディアスロット３２に挿入された記録メディア３０の幅方向（矢線Ａで示す方向）にスライド自在、かつ回動自在に電池蓋２４を保持する。なお、図３では、便宜上、各電池２０、２１と各電池接点５０、５１の図示を省略している。
【００３０】
図３（ａ）に示すように、閉じ位置にある電池蓋２４は、被係合部５４と係合部材３６との係合によって、矢線Ａ方向へのスライド移動が阻止される。また、閉じ位置にある電池蓋２４は、各係合爪６０、６１、６２と各係合溝６４、６５、６６との係合によって、開き位置への回動が阻止される。これにより、閉じ位置にある電池蓋２４は、閉じ位置に保持される。
【００３１】
電池蓋２４を開き位置に移動させるには、まず、被係合部５４の付勢力に抗して電池蓋２４を図３（ｂ）に示す位置にスライド移動させる。すなわち、被係合部５４と係合部材３６とは、いわゆるクリック機構として機能する。図３（ｂ）に示す位置に電池蓋２４がスライド移動すると、被係合部５４と係合部材３６との係合が解除されるとともに、各係合爪６０、６１、６２と各係合溝６４、６５、６６との係合も解除される。そして、この状態からシャフト４２を軸に回動させることによって、図３（ｃ）に示すように、電池蓋２４が開き位置に移動する。なお、これ以降では、図３（ｂ）に示す位置を、「係合解除位置」と称す。
【００３２】
次に、上記構成によるデジタルカメラ２の作用について説明する。デジタルカメラ２のカメラ本体４に各電池２０、２１、及び記録メディア３０をセットする際には、まず、電池蓋２４を開き位置（図２、及び図３（ｃ）参照）に移動させ、電池収納室２２とメディアスロット３２とを露呈させる。電池蓋２４を開き位置に移動させたら、各電池２０、２１を電池収納室２２に挿入し、記録メディア３０をメディアスロット３２に挿入する。各電池２０、２１と記録メディア３０とを挿入したら、シャフト４２を軸に電池蓋２４を回動させ、電池蓋２４を開き位置から係合解除位置（図３（ｂ）参照）に移動させる。
【００３３】
電池蓋２４を係合解除位置に移動させたら、被係合部５４の付勢力に抗して電池蓋２４を矢線Ａと反対の方向にスライド移動させ、電池蓋２４を係合解除位置から閉じ位置（図３（ａ）参照）に移動させる。閉じ位置に移動した電池蓋２４は、被係合部５４と係合部材３６との係合、及び各係合爪６０、６１、６２と各係合溝６４、６５、６６との係合によって、閉じ位置に保持される。
【００３４】
電池蓋２４が閉じ位置に移動すると、各電池接点５０、５１と正極２０ａ、負極２１ｂとがそれぞれ接触し、各電池２０、２１の電力がデジタルカメラ２に供給される。また、電池蓋２４が閉じ位置に移動すると、各メディア押さえ部５２が記録メディア３０の後端３０ａと接触する。記録メディア３０の後端３０ａと接触した各メディア押さえ部５２は、弾性変形して記録メディア３０を挿入方向に付勢し、記録メディア３０がメディアスロット３２から抜け出ることを防止する。以上により、カメラ本体４に対する各電池２０、２１と記録メディア３０とのセットが完了する。
【００３５】
このように、本実施形態によれば、各メディア押さえ部５２でメディアスロット３２に挿入された記録メディア３０を押さえ付けるようにしたので、カメラ本体４に過大な衝撃が加わった際などにも、メディアスロット３２から記録メディア３０が抜け出ることを防止することができる。また、各メディア押さえ部５２は、電池蓋２４の内面に設けられた板金部材４４に形成されているので、操作部材を外部に露呈させたスライド式のロック機構などと違って外力の影響を受ける心配がなく、記録メディア３０の抜け出しを確実に防止することができる。
【００３６】
また、スライド式のロック機構などのように複雑な構造を必要としないので、記録メディア３０の抜け出しの防止を確実かつ安価に実現することができる。さらに、各メディア押さえ部５２は、板バネ状に形成されており、記録メディア３０に寸法誤差があった場合などにも確実に押さえることができるので、各部の部品に高い精度を要求する必要もない。
【００３７】
なお、上記実施形態では、係合部材３６とともにクリック機構を構成する被係合部５４を板金部材４４に形成するようにしたが、これに限ることなく、例えば、図４に示すように、係合解除位置に近い側のメディア押さえ部５２と係合するように係合部材３６を配置し、メディア押さえ部５２と係合部材３６との係合によって係合解除位置へのスライド移動を阻止するようにしてもよい。
【００３８】
次に、本発明の第２の実施形態について説明する。なお、上記実施形態と機能・構成上同一のものについては、同符号を付し、詳細な説明を省略する。図５に示すように、カメラ本体４の底面４ａには、電池８０を収納する電池収納室８２と、この電池収納室８２を覆う閉じ位置と電池収納室８２を露呈させる開き位置との間で回動自在にカメラ本体４に取り付けられた電池蓋８４とが設けられている。電池蓋８４は、横長の板状に形成されており、閉じ位置に移動した際に、電池収納室８２に収納された電池８０を押さえ、電池８０が電池収納室８２から脱落することを防止する。
【００３９】
電池８０の挿入方向前端には、一方が正極、他方が負極となる一対の電極８０ａ、８０ｂが形成されている。電池収納室８２内には、収納した電池８０の各電極８０ａ、８０ｂと接触する一対の電池接点（図示は省略）が設けられている。電池収納室８２は、各電池接点、及び各電極８０ａ、８０ｂを介して電池８０から電力を取り出す。なお、電池８０には、例えば、リチウムイオン電池などが用いられる。
【００４０】
電池収納室８２の周囲には、底面４ａよりも凹んだ凹部８６が形成されている。凹部８６内には、カード型の記録メディア９０を挿抜自在に保持するメディアスロット９２が電池収納室８２と並べて設けられている。電池蓋８４は、閉じ位置に移動した際に、電池収納室８２を覆って電池８０の脱落を防止するとともに、メディアスロット９２を覆って、メディアスロット９２からの記録メディア９０の抜け出しを防止する。なお、本実施形態の記録メディア９０は、円弧状に形成された後端９０ａを有している。
【００４１】
電池蓋８４の内面には、例えば、アルミニウム、銅、ステンレスなどといった金属材料で成形された板金部材９４が設けられている。板金部材９４には、端部を折り曲げるようにして形成されたヒンジ部１００が設けられている。ヒンジ部１００には、シャフト１０２が挿通されている。シャフト１０２は、底面４ａの長手方向と略平行に配置され、その両端部をカメラ本体４に支持されている。これにより、シャフト１０２を回転軸として、電池蓋８４が回動自在にカメラ本体４に取り付けられる。
【００４２】
また、板金部材９４には、一対のメディア押さえ部１０４と一対の電池押さえ部１０６とが形成されている。各メディア押さえ部１０４と各電池押さえ部１０６とは、板バネ状に形成されている。各メディア押さえ部１０４は、電池蓋８４が閉じ位置に移動した際（図６（ａ）参照）に、記録メディア９０の後端９０ａと接触して弾性変形し、記録メディア９０を挿入方向に付勢する。各メディア押さえ部１０４は、弾性変形して記録メディア９０を押さえ付けることにより、メディアスロット９２から記録メディア９０が抜け出ることを防止する。各電池押さえ部１０６は、電池蓋８４が閉じ位置に移動した際に、電池８０の後端８０ｃと接触して弾性変形し、電池８０を挿入方向に付勢する。各電池押さえ部１０６は、弾性変形して電池８０を押さえ付けることにより、各電池接点と各電極８０ａ、８０ｂとの接触状態を安定させる。
【００４３】
電池蓋８４の内面には、板金部材９４の他に、側方に向けて突出するように形成された突起１１０ａを有する一対の被係合部材１１０が設けられている。また、凹部８６内には、突起１１０ａを係止するスリット１１２ａが形成された一対の係合部材１１２が設けられている。各被係合部材１１０と各係合部材１１２とは、電池蓋８４が閉じ位置に移動した際に、各突起１１０ａと各スリット１１２ａとを互いに係合させて、電池蓋８４を閉じ位置に保持する。
【００４４】
図６に示すように、カメラ本体４は、電池蓋８４を挟んで形成された一対の長穴１１４によってシャフト１０２の両端部を支持する。各長穴１１４は、シャフト１０２と略直交し、かつ底面４ａと略平行な方向に長く形成されている。これにより、カメラ本体４は、メディアスロット９２に挿入された記録メディア９０の厚み方向（矢線Ｂで示す方向）にスライド自在、かつ回動自在に電池蓋８４を保持する。
【００４５】
各メディア押さえ部１０４と各電池押さえ部１０６とは、電池蓋８４がスライド移動する際、電池８０又は記録メディア９０と接触して弾性変形しながら、これらの上を摺動する。このため、各メディア押さえ部１０４と各電池押さえ部１０６とは、弾性変形がスムーズに行われるように、電池蓋８４が閉じ位置にある際に、記録メディア９０の厚み方向と略平行になるように形成されている。なお、図６では、便宜上、電池８０、及び各電池押さえ部１０６の図示を省略している。
【００４６】
図６（ａ）に示すように、閉じ位置にある電池蓋８４は、各突起１１０ａと各スリット１１２ａとの係合によって、開き位置への回動が阻止される。また、閉じ位置にある電池蓋８４は、各突起１１０ａと各スリット１１２ａとの嵌め合いによる摩擦力によって係合解除位置へのスライド移動が阻害される。これにより、閉じ位置にある電池蓋８４は、閉じ位置に保持される。
【００４７】
電池蓋８４を開き位置に移動させるには、まず、図６（ｂ）に示すように、係合解除位置に電池蓋８４をスライド移動させて、各突起１１０ａと各スリット１１２ａとの係合を解除する。そして、この状態からシャフト１０２を軸に回動させることによって、図６（ｃ）に示すように、電池蓋８４が開き位置に移動する。
【００４８】
上記第１の実施形態では、記録メディア３０の幅方向に電池蓋２４をスライド移動させるようにしていた。このため、本実施形態で示すような円弧状の後端９０ａを有する記録メディア９０を押さえ付けようとすると、後端９０ａの形状に従って各メディア押さえ部５２の上下方向の弾性変形量が多くなってしまう。このように、上下方向の弾性変形量が多くなると、各メディア押さえ部５２の破損や弾性力の低下などが懸念される。一方、本実施形態では、記録メディア９０の厚み方向に電池蓋８４をスライド移動させるようにしたので、円弧状の後端９０ａを有する記録メディア９０を押さえ付ける際の、上下方向の弾性変形量を抑えることができる。
【００４９】
なお、上記各実施形態では、メディア押さえ部とともに電池接点やヒンジなどが一体に形成された板金部材４４、９４を示したが、板金部材は、もちろんメディア押さえ部だけが形成されたものでよい。但し、上記各実施形態のように電池接点などと一体に成形することで、部品点数を削減して、コストアップをさらに抑えることができる。
【００５０】
また、上記各実施形態では、回動自在な電池蓋２４、８４を示したが、電池蓋は、これに限ることなく、例えば、閉じ位置と開き位置との間でスライド移動するものや、カメラ本体４に対して着脱自在なものなどであってもよい。さらに、上記各実施形態では、電池収納室とメディアスロットとを覆う電池蓋をカバーとして示したが、カバーは、これに限るものではなく、少なくともメディアスロットを覆うものであればよい。
【００５１】
なお、上記各実施形態では、カード型の記録メディアを示したが、記録メディアの形状は、これに限ることなく、例えば、スティック型のものなどであってもよい。
【００５２】
また、上記各実施形態では、電子機器としてデジタルカメラ２を示したが、電子機器は、これに限ることなく、例えば、携帯電話や音楽プレーヤーなど、記録メディアの挿抜を行うものであれば、他の如何なるものであってもよい。
【図面の簡単な説明】
【００５３】
【図１】デジタルカメラの構成を概略的に示す斜視図である。
【図２】デジタルカメラの底面の構成を概略的に示す斜視図である。
【図３】電池蓋の各位置への移動状態を示す説明図である。
【図４】メディア押さえ部にクリック機構を兼用させる例を示す説明図である。
【図５】記録メディアの厚み方向にスライドする電池蓋の例を示す説明図である。
【図６】記録メディアの厚み方向にスライドする電池蓋の各位置への移動状態を示す説明図である。
【符号の説明】
【００５４】
２  デジタルカメラ（電子機器）
４  カメラ本体（本体部）
２０、２１、８０  電池
２２、８２  電池収納室
２４、８４  電池蓋（カバー）
３０、９０  記録メディア
３２、９２  メディアスロット
３６  係合部材
４４、９４  板金部材
５０、５１  電池接点
５２、１０４  メディア押さえ部
５４  被係合部
１００  ヒンジ部
１０６  電池押さえ部
【図１】
2008294636.tif 000003
【図２】
2008294636.tif 000004
【図３】
2008294636.tif 000005
【図４】
2008294636.tif 000006
【図５】
2008294636.tif 000007
【図６】
2008294636.tif 000008